(57)【特許請求の範囲】
【請求項１】
人体の足部に装着し、関節運動をアシストする外骨格型の関節運動アシスト装置の足部装着構造であって、
前記人体の膝関節から足関節へ延びる方向に沿って、下腿の外側に装着される外側外骨格部材と；
前記膝関節から前記足関節へ延びる方向に沿って、前記下腿の内側に装着される内側外骨格部材と；
前記内側外骨格部材における足底側の端部が接続され、前記足部の足裏が装着される平板を含む足底部材と；
前記足底部材の外甲側に設けられ、前記外側外骨格部材における足底側の端部を受容可能な受容部材と；を備え、
前記内側外骨格部材における足底側の端部は、前記足底部材に対して前記足関節の運動自由度を有するように接続され、
前記足部の踵部からつま先部へ向かう方向が垂直線となる面において、前記内側外骨格部材の長さ方向と前記足底部材における平板の法線方向とのなす角の変化に応じて、前記外側外骨格部材における足底側の端部と、前記受容部材との間の距離が変化する、
ことを特徴とする関節運動アシスト装置の足部装着構造。
【請求項２】
前記外側外骨格部材における足底側の端部は、前記受容部材との接触状態を維持しつつ移動が可能であり、
前記受容部材は、前記外側外骨格部材における足底側の端部が前記受容部材に接触しているときに、前記外側外骨格部材における足底側の端部を受容し、
前記足部の踵部からつま先部へ向かう方向が垂直線となる面において、
前記内側外骨格部材の長さ方向と前記足底部材における平板の法線方向とのなす角が、所定の角度以上となるまでは、前記受容部材が、前記受容部材に対して接触状態を維持しつつ移動する前記外側外骨格部材における足底側の端部の受容を許容し、
前記なす角が前記所定の角度以上となったときに、前記外側外骨格部材における足底側の端部は、前記受容部材に対して非接触状態になり、前記受容部材から外れる、
ことを特徴とする請求項１に記載の関節運動アシスト装置の足部装着構造。
【請求項３】
前記外側外骨格部材における足底側の端部は、前記受容部材に嵌合可能であり、
前記足部の踵部からつま先部へ向かう方向が垂直線となる面において、
前記内側外骨格部材の長さ方向と前記足底部材における平板の法線方向とのなす角が、所定の角度以上となるまでは、前記外側外骨格部材における足底側の端部は、前記受容部材に嵌合されて、前記受容部材に受容され、
前記なす角が前記所定の角度以上となったときに、前記外側外骨格部材における足底側の端部は、前記受容部材との嵌合が解除されて、前記受容部材から外れる、
ことを特徴とする請求項１に記載の関節運動アシスト装置の足部装着構造。
【請求項４】
前記外側外骨格部材における足底側の端部は、凸形状に形成されており、
前記受容部材は、前記足底部材の外甲側に固定される凹形状の部材であり、前記外側外骨格部材における前記凸形状の足底側の端部を受容する、
ことを特徴とする請求項１〜３のいずれか一項に記載の関節運動アシスト装置の足部装着構造。
【請求項５】
前記外側外骨格部材における足底側の端部を前記足底部材の外甲側に固定された前記受容部材へ導く誘導部材を更に備える、ことを特徴とする請求項１〜４のいずれか一項に記載の関節運動アシスト装置の足部装着構造。
【請求項６】
前記誘導部材は、前記受容部材に近接して設置され、足甲側へ沿った方向に延びる長方形状の少なくとも１つの板バネであり、
前記少なくとも１つの板バネの内の１つである特定板バネは、前記受容部材の内甲側に設置され、
前記外側外骨格部材における足底側の端部は、前記特定板バネにより、前記受容部材に誘導される、
ことを特徴とする請求項５に記載の関節運動アシスト装置の足部装着構造。
【請求項７】
前記板バネの数は２つであり、
前記特定板バネ以外の板バネは、前記受容部材の外甲側に設置される、
ことを特徴とする請求項６に記載の関節運動アシスト装置の足部装着構造。
【請求項８】
前記誘導部材は、前記受容部材に近接して配置され、足甲側へ沿った方向に延びる長方形状の少なくとも１つの板状部材であり、
前記少なくとも１つの板状部材の内の１つである特定板状部材は、前記受容部材の外甲側に設置され、
前記外側外骨格部材における足底側の端部は、前記特定板状部材により、前記受容部材に誘導される、
ことを特徴とする請求項５に記載の関節運動アシスト装置の足部装着構造。
【請求項９】
前記誘導部材は、一方の端部が前記受容部材を囲むようにして設置され、足甲側へ沿った方向に延びる中空状の中空弾性部材であり、
前記外側外骨格部材における足底側の端部は、他方の端部から前記中空弾性部材の中空内部に挿入され、前記中空弾性部材により、前記受容部材に誘導される、
ことを特徴とする請求項５に記載の関節運動アシスト装置の足部装着構造。
【請求項１０】
前記外側外骨格部材は、
前記人体の下腿に対応する第１外側外骨格部材と；
一方の端部が前記人体の足関節に対応する位置で、前記第１外側外骨格部材に前記足関節の回動方向に回動可能に接続されるとともに、他方の端部が前記受容部材に受容可能に接続される第２外側外骨格部材と；を備え、
前記内側外骨格部材は、
前記人体の下腿に対応する第１内側外骨格部材と；
一方の端部が前記足関節に対応する位置で、前記第１内側外骨格部材に前記足関節の回動方向に回動可能に接続されるとともに、他方の端部が前記足底部材に接続される第２内側外骨格部材と；を備える、
ことを特徴とする請求項１〜９のいずれか一項に記載の関節運動アシスト装置の足部装着構造。
【請求項１１】
人体の足部に装着し、関節運動をアシストする外骨格型の関節運動アシスト装置の足部装着構造であって、
前記人体の膝関節から足関節へ延びる方向に沿って、下腿の外側に装着される外側外骨格部材と；
前記膝関節から前記足関節へ延びる方向に沿って、前記下腿の内側に装着される内側外骨格部材と；
前記内側外骨格部材における足底側の端部が接続され、前記足部の足裏が装着される平板を含む足底部材と；
前記外側外骨格部材における足底側の端部に一方の端部が接続される少なくとも弾性部材を含む接続用部材と；
前記足底部材の外甲側に設けられ、前記接続用部材の他方の端部を固定する固定用部材と；を備え、
前記内側外骨格部材における足底側の端部は、前記足底部材に対して前記足関節の運動自由度を有するように接続され、
前記足部の踵部からつま先部へ向かう方向が垂直線となる面において、前記内側外骨格部材の長さ方向と前記足底部材における平板の法線方向とのなす角の変化に応じて、前記弾性部材が伸縮し、前記外側外骨格部材における足底側の端部と、前記固定用部材との間の距離が変化する、
ことを特徴とする関節運動アシスト装置の足部装着構造。
【請求項１２】
前記接続用部材は、弾性部材であり、
前記弾性部材の他方の端部は、前記固定用部材の足甲側に固定される、
ことを特徴とする請求項１１に記載の関節運動アシスト装置の足部装着構造。
【請求項１３】
前記接続用部材は、紐部材の他方の端部と弾性部材の一方の端部とを接続した部材であり、
前記紐部材の一方の端部は、前記外側外骨格部材における足底側の端部に接続され、前記弾性部材の他方の端部は、前記固定用部材に固定される、
ことを特徴とする請求項１１に記載の関節運動アシスト装置の足部装着構造。
【請求項１４】
前記固定用部材は、前記紐部材を通す穴が成形された中空状の部材であり、
前記紐部材の他方の端部は、前記固定用部材の中空内部で前記弾性部材の一方の端部に接続され、
前記弾性部材の他方の端部は、前記固定用部材の中空内部に固定される、
ことを特徴とする請求項１３に記載の関節運動アシスト装置の足部装着構造。
【請求項１５】
前記外側外骨格部材は、
前記人体の下腿に対応する第１外側外骨格部材と；
一方の端部が前記人体の足関節に対応する位置で、前記第１外側外骨格部材に前記足関節の回動方向に回動可能に接続されるとともに、他方の端部が前記接続用部材に接続される第２外側外骨格部材と；を備え、
前記内側外骨格部材は、
前記人体の下腿に対応する第１内側外骨格部材と；
一方の端部が前記足関節に対応する位置で、前記第１内側外骨格部材に前記足関節の回動方向に回動可能に接続されるとともに、他方の端部が前記足底部材に接続される第２内側外骨格部材と；を備える、
ことを特徴とする請求項１１〜１４のいずれか一項に記載の関節運動アシスト装置の足部装着構造。
【発明の詳細な説明】
【技術分野】
【０００１】
本発明は、関節運動アシスト装置の足部装着構造に係り、より詳しくは、人体の関節運動をアシストする外骨格型の関節運動アシスト装置の足部装着構造に関する。
【背景技術】
【０００２】
従来から、要介護者・要看護者の介護・看護に用いられる様々な装置が提案されている。こうした装置の中には、介護者が、身体の自由が効かない寝たきりの高齢者等の被介護者を抱き起したり、抱き下ろしたり、あるいは移動させるための介護用の外骨格型の筋力補助装置がある（特許文献１参照：以下、「従来例」と呼ぶ）。【０００３】
こうした従来例のような外骨格型の筋力補助装置では、膝関節、腰関節等の関節運動をアシストしつつ、当該装置を装着することによる重さ負荷及び被介護者を抱き上げることによる重さ負荷を軽減するために、人体の足部を装着する構造についても、外骨格構造となっている。そして、従来例の技術の足部装着構造では、足部を装着する足底部材は、ベルトで下腿に装着される外骨格形状の下腿装着部（以下、「下腿外骨格部材」と記す）に固定されるようになっている。【０００４】
すなわち、図１（Ａ）に示される足部装着構造９００のように、下腿の外側には、第１外側下腿外骨格部材９３１及び足関節（いわゆる足首関節、踝関節）に対応する位置で当該第１外側下腿外骨格部材９３１に接続される第２外側下腿外骨格部材９３２が配置され、下腿の内側には、第１内側下腿外骨格部材９３６及び足関節に対応する位置で当該第１内側下腿外骨格部材９３６に接続される第２内側下腿外骨格部材９３７が配置されている。そして、足裏全体が装着される足底部材９１０が、第２外側下腿外骨格部材９３２及び第２内側下腿外骨格部材９３７の足底側端部で固定的に接続されている。この図１は、人体の左足部に装着される足部装着構造９００を、踵側から眺めた外観図である。
【先行技術文献】
【特許文献】
【０００５】
【特許文献１】特開２０００−０５１２８９号公報
【発明の概要】
【発明が解決しようとする課題】
【０００６】
ところで、介護者が、安全に被介護者をベッド等から抱き起したり、あるいは抱き下ろしたりする際には、当該介護者は、両足の間隔を広くして、膝下部を鉛直上方に対して傾けた姿勢をとり、足裏全体を床面につける動作を行うことがある。【０００７】
しかしながら、上述した従来の足部装着構造９００では、足底部材９１０は、足部の外側に配置される第２外側下腿外骨格部材９３２、及び、足部の内側に配置される第２内側下腿外骨格部材９３７に固定されている。この結果、足部装着構造９００を有する関節運動アシスト装置（以下、単に「アシスト装置」とも記す）を装着した装着者が、両足の間隔を広くする等して、膝下部を鉛直上方に対して傾けた姿勢をとる際には、図１（Ｂ）に示されるように、足底部材９１０の底面全体を床面につけることができず、不自然かつ不安定な姿勢を強いられることになる。したがって、アシスト装置の装着者が、被介護者を抱き起したり、抱き下ろしたりする際に、違和感なくスムーズな動作を行うことができない場合がある。【０００８】
このため、足部装着構造を有する外骨格型の関節運動アシスト装置の装着者が、足幅を広くする等して、膝下部を鉛直上方に対して傾けた姿勢をとった際に、スムーズに足裏全体を床面につける姿勢状態を実現し、かつ、当該姿勢状態において装着者に与える違和感を低減させることができる技術が望まれている。かかる要請に応えることが、本発明が解決すべき課題の一つとして挙げられる。【０００９】
本発明は、上記の事情を鑑みてなされたものであり、スムーズかつ安定した足部の動きを実現することができる関節運動アシスト装置の足部装着構造を提供することを目的とする。
【課題を解決するための手段】
【００１０】
本発明は、第１の観点からすると、人体の足部に装着し、関節運動をアシストする外骨格型の関節運動アシスト装置の足部装着構造であって、前記人体の膝関節から足関節へ延びる方向に沿って、下腿の外側に装着される外側外骨格部材と；前記膝関節から前記足関節へ延びる方向に沿って、前記下腿の内側に装着される内側外骨格部材と；前記内側外骨格部材における足底側の端部が接続され、前記足部の足裏が装着される平板を含む足底部材と；前記足底部材の外甲側に設けられ、前記外側外骨格部材における足底側の端部を受容可能な受容部材と；を備え、前記内側外骨格部材における足底側の端部は、前記足底部材に対して前記足関節の運動自由度を有するように接続され、前記足部の踵部からつま先部へ向かう方向が垂直線となる面において、前記内側外骨格部材の長さ方向と前記足底部材における平板の法線方向とのなす角の変化に応じて、前記外側外骨格部材における足底側の端部と、前記受容部材との間の距離が変化する、ことを特徴とする関節運動アシスト装置の足部装着構造である。【００１１】
この第１の関節運動アシスト装置の足部装着構造では、下腿の内側に装着される内側外骨格部材における足底側の端部は、足部の足裏が装着される足底部材に対して、足関節の運動自由度を有するように接続されている。また、下腿の外側に装着される外側外骨格部材における足底側の端部と足底部材とは、固定的に接続されておらず、当該足底側の端部は、足底部材の外甲側に設けられた受容部材に受容可能であるとともに、受容部材から離脱可能となっている。【００１２】
当該第１の足部装着構造の関節運動アシスト装置を装着した装着者が、足裏全体を床面につけて、足幅を狭くした姿勢（以下、こうした姿勢を「閉脚姿勢」とも記す）をとったときには、足部の踵部からつま先部へ向かう方向が垂直線となる面において、内側外骨格部材の長さ方向と足底部材における平板の法線方向とのなす角が略平行になるとともに、外側外骨格部材の長さ方向と足底部材における平板の法線方向とのなす角も略平行になり、外側外骨格部材の足底側端部は、受容部材に受容される。【００１３】
そして、装着者が、当該閉脚姿勢から、足幅を広げて膝下部を鉛直上方に対して傾けた姿勢（以下、こうした姿勢を「開脚姿勢」とも記す）に移ると、踵部からつま先部へ向かう方向が垂直線となる面において、内側外骨格部材の長さ方向と足底部材における平板の法線方向とのなす角が変化して広がる。また、開脚姿勢になると、当該面において、外側外骨格部材の長さ方向と足底部材における平板の法線方向とのなす角も広がるが、外側外骨格部材の足底側端部が受容部材から外れて、足底側端部と受容部材との間の距離も変化するため、開脚状態においても、足裏全体を床面に接することができる。このため、本発明の第１の足部装着構造を有する外骨格型の関節運動アシスト装置の装着者が、足幅を広くする等して、膝下部を鉛直上方に対して傾けた姿勢をとった際に、足裏全体を床面につける姿勢状態をスムーズに実現し、かつ、当該姿勢状態において装着者に与える違和感を低減させることができる。【００１４】
したがって、本発明の第１の関節運動アシスト装置の足部装着構造によれば、スムーズかつ安定した足部の動きを実現することができる。【００１５】
本発明の第１の関節運動アシスト装置の足部装着構造では、前記外側外骨格部材における足底側の端部は、前記受容部材との接触状態を維持しつつ移動が可能であり、前記受容部材は、前記外側外骨格部材における足底側の端部が前記受容部材に接触しているときに、前記外側外骨格部材における足底側の端部を受容し、前記足部の踵部からつま先部へ向かう方向が垂直線となる面において、前記内側外骨格部材の長さ方向と前記足底部材における平板の法線方向とのなす角が、所定の角度以上となるまでは、前記受容部材が、前記受容部材に対して接触状態を維持しつつ移動する前記外側外骨格部材における足底側の端部の受容を許容し、前記なす角が前記所定の角度以上となったときに、前記外側外骨格部材における足底側の端部は、前記受容部材に対して非接触状態になり、前記受容部材から外れる、ようにすることができる。このように、当該なす角が所定の角度に達するまでは、外側外骨格部材における足底側の端部と受容部材との接触状態が維持され、外側外骨格部材における足底側の端部は、受容部材に許容されている。このため、当該なす角が所定の角度よりも小さいときに、受容部材による外側外骨格部材の受容を許容し、足裏全体を床面に接する姿勢を実現することができる。また、当該なす角が所定の角度以上になったときにも、足裏全体を床面に接する姿勢を実現することができる。
【００１６】
また、本発明の第１の関節運動アシスト装置の足部装着構造では、前記外側外骨格部材における足底側の端部は、前記受容部材に嵌合可能であり、前記足部の踵部からつま先部へ向かう方向が垂直線となる面において、前記内側外骨格部材の長さ方向と前記足底部材における平板の法線方向とのなす角が、所定の角度以上となるまでは、前記外側外骨格部材における足底側の端部は、前記受容部材に嵌合されて、前記受容部材に受容され、前記なす角が前記所定の角度以上となったときに、前記外側外骨格部材における足底側の端部は、前記受容部材との嵌合が解除されて、前記受容部材から外れる、ようにすることができる。このように、当該なす角が所定の角度に達するまでは、外側外骨格部材における足底側の端部は、受容部に嵌合されている。このため、当該なす角が所定の角度よりも小さいときに、外側外骨格部材が受容部材から外れないため、安定した構造を実現するとともに、足裏全体を床面に接する姿勢を実現することができる。また、当該なす角が所定の角度以上になったときにも、足裏全体を床面に接する姿勢を実現することができる。
【００１７】
また、本発明の第１の関節運動アシスト装置の足部装着構造では、前記外側外骨格部材における足底側の端部は、凸形状に形成されており、前記受容部材は、前記足底部材の外甲側に固定される凹形状の部材であり、前記外側外骨格部材における前記凸形状の足底側の端部を受容する、ようにすることができる。この場合には、受容部材による外側外骨格部材の受容を確実にすることができる。また、この場合には、凸形状の外側外骨格部材の足底側端部が、凹形状の受容部材に受容されているときに、外側外骨格部材が受容部材を介して足底部材に接続された安定した足部装着構造を実現することができる。【００１８】
また、本発明の第１の関節運動アシスト装置の足部装着構造では、前記外側外骨格部材における足底側の端部を前記足底部材の外甲側に固定された前記受容部材へ導く誘導部材を更に備える、構成とすることができる。この場合には、外側外骨格部材が受容部材から外れている開脚姿勢から、閉脚姿勢へと移行するに際して、外側外骨格部材の足底側端部を受容部材へ誘導することができる。この結果、閉脚状態において、外側外骨格部材の足底側端部が、受容部材に受容されない事態、すなわち、外側外骨格部材が受容部材を介して足底部材に接続されない事態を無くすことができる。【００１９】
ここで、第１の足部装着構造の構成要素として誘導部材を更に備える構成とした場合に、前記誘導部材は、前記受容部材に近接して設置され、足甲側へ沿った方向に延びる長方形状の少なくとも１つの板バネであり、前記少なくとも１つの板バネの内の１つである特定板バネは、前記受容部材の内甲側に設置され、前記外側外骨格部材における足底側の端部は、前記特定板バネにより、前記受容部材に誘導される、ようにすることができる。【００２０】
この場合には、外側外骨格部材の足底側端部が受容部材に受容されている閉脚姿勢から開脚姿勢に移行すると、当該足底側端部が受容部材から外れて足底側端部と受容部材との間の距離が長くなる。この結果、受容部材の内甲側に設置された特定板バネが、外側外骨格部材の足底側端部に接しながら弾性的に湾曲する。そして、開脚姿勢から閉脚姿勢に移行するときには、足底側端部と受容部材との間の距離が短くなるにつれて、特定板バネが、外側外骨格部材の足底側端部に接しながら弾性的に復元し、当該足底側端部が受容部材に誘導される。この結果、開脚姿勢から閉脚姿勢に移行するときに、足底側端部をスムーズに受容部材へ誘導することができる。【００２１】
このように、誘導部材として板バネを採用した場合には、前記板バネの数は２つであり、前記特定板バネ以外の板バネは、前記受容部材の外甲側に設置される、ようにすることができる。この場合には、開脚姿勢から閉脚姿勢に移行して、足底側端部と受容部材との間の距離が短くなったときに、２つのバネ板が、外側外骨格部材の足底側端部を挟み込むようにして、当該足底側端部を受容部材へ誘導する。この結果、開脚姿勢から閉脚姿勢に移行するときに、よりスムーズに足底側端部を受容部材へ誘導することができる。【００２２】
また、第１の足部装着構造の構成要素として誘導部材を更に備えるようにした場合に、前記誘導部材は、前記受容部材に近接して配置され、足甲側へ沿った方向に延びる長方形状の少なくとも１つの板状部材であり、前記少なくとも１つの板状部材の内の１つである特定板状部材は、前記受容部材の外甲側に設置され、前記外側外骨格部材における足底側の端部は、前記特定板状部材により、前記受容部材に誘導される、ようにすることができる。【００２３】
この場合には、外側外骨格部材の足底側端部が受容部材に受容されていない開脚姿勢から閉脚姿勢に移行するに際して、足底側端部と受容部材との間の距離が短くなったときに、受容部材の外甲側に設置された特定板状部材が、当該足底側端部を受容部材へ誘導する。この結果、外側外骨格部材の足底側端部が、受容部材の外甲側に位置する事態、すなわち、受容部材に受容されない事態を無くすことができる。【００２４】
また、第１の足部装着構造の構成要素として誘導部材を更に備える構成とした場合に、前記誘導部材は、一方の端部が前記受容部材を囲むようにして設置され、足甲側へ沿った方向に延びる中空状の中空弾性部材であり、前記外側外骨格部材における足底側の端部は、他方の端部から前記中空弾性部材の中空内部に挿入され、前記中空弾性部材により、前記受容部材に誘導される、ようにすることができる。【００２５】
この場合には、外側外骨格部材の足底側端部が受容部材に受容されている閉脚姿勢から開脚姿勢に移行すると、当該足底側端部が受容部材から外れて足底側端部と受容部材との間の距離が長くなる。この結果、中空弾性部材の内側が、外側外骨格部材の足底側端部と接しながら、当該中空弾性部材が弾性的に湾曲する。そして、開脚姿勢から閉脚姿勢に移行するときには、足底側端部と受容部材との間の距離が短くなるにつれて、中空弾性部材の内側が、外側外骨格部材の足底側端部に接しながら、当該中空弾性部材が弾性的に復元し、当該足底側端部が受容部材に誘導される。この結果、開脚姿勢から閉脚姿勢に移行するときに、足底側端部をスムーズに受容部材へ誘導することができる。【００２６】
ここで、中空弾性部材としては、筒状のゴム製の部材であってもよいし、バネ部材であってもよい。【００２７】
本発明の第１の関節運動アシスト装置の足部装着構造では、前記外側外骨格部材は、前記人体の下腿に対応する第１外側外骨格部材と；一方の端部が前記人体の足関節に対応する位置で、前記第１外側外骨格部材に前記足関節の回動方向に回動可能に接続されるとともに、他方の端部が前記受容部材に受容可能に接続される第２外側外骨格部材と；を備える構成とすることができる。そして、前記内側外骨格部材は、前記人体の下腿に対応する第１内側外骨格部材と；一方の端部が前記足関節に対応する位置で、前記第１内側外骨格部材に前記足関節の回動方向に回動可能に接続されるとともに、他方の端部が前記足底部材に接続される第２内側外骨格部材と；を備える、構成とすることができる。【００２８】
この場合には、受容部材を備える第１の足部装着構造において、装着された人体の足関節（距腿関節：足の骨と下腿骨とを結んでいる関節単位）の動きに対応したスムーズな動きを実現することができる。【００２９】
本発明は、第２の観点からすると、人体の足部に装着し、関節運動をアシストする外骨格型の関節運動アシスト装置の足部装着構造であって、前記人体の膝関節から足関節へ延びる方向に沿って、下腿の外側に装着される外側外骨格部材と；前記膝関節から前記足関節へ延びる方向に沿って、前記下腿の内側に装着される内側外骨格部材と；前記内側外骨格部材における足底側の端部が接続され、前記足部の足裏が装着される平板を含む足底部材と；前記外側外骨格部材における足底側の端部に一方の端部が接続される少なくとも弾性部材を含む接続用部材と；前記足底部材の外甲側に設けられ、前記接続用部材の他方の端部を固定する固定用部材と；を備え、前記内側外骨格部材における足底側の端部は、前記足底部材に対して前記足関節の運動自由度を有するように接続され、前記足部の踵部からつま先部へ向かう方向が垂直線となる面において、前記内側外骨格部材の長さ方向と前記足底部材における平板の法線方向とのなす角の変化に応じて、前記弾性部材が伸縮し、前記外側外骨格部材における足底側の端部と、前記固定用部材との間の距離が変化する、ことを特徴とする関節運動アシスト装置の足部装着構造である。【００３０】
この第２の関節運動アシスト装置の足部装着構造では、下腿の内側に装着される内側外骨格部材における足底側の端部は、足部の足裏が装着される足底部材に対して、足関節の運動自由度を有するように配置されている。一方、下腿の外側に装着される外側外骨格部材における足底側の端部は、少なくとも弾性部材を含む接続用部材の一方の端部と接続されている。ここで、接続用部材の他方の端部は、足底部材の外甲側に設けられた固定用部材に接続されている。【００３１】
当該第２の足部装着構造の関節運動アシスト装置を装着した装着者が、足裏全体を床面につけて、足幅を狭くした閉脚姿勢をとったときには、足部の踵部からつま先部へ向かう方向が垂直線となる面において、内側外骨格部材の長さ方向と足底部材における平板の法線方向とのなす角が略平行になるとともに、外側外骨格部材の長さ方向と足底部材における平板の法線方向とのなす角も略平行になっている。【００３２】
そして、装着者が、当該閉脚姿勢から、足幅を広げて膝下部を鉛直上方に対して傾けた開脚姿勢に移ると、踵部からつま先部へ向かう方向が垂直線となる面において、内側外骨格部材の長さ方向と足底部材における平板の法線方向とのなす角が変化して広がる。また、開脚姿勢になると、当該面において、外側外骨格部材の長さ方向と足底部材における平板の法線方向とのなす角も広がるが、少なくとも弾性部材を含む接続用部材が伸びて、足底側端部と固定用部材との間の距離も変化するため、開脚状態においても、足裏全体を床面に接することができる。このため、本発明の第２の足部装着構造を有する外骨格型の関節運動アシスト装置の装着者が、足幅を広くする等して、膝下部を鉛直上方に対して傾けた姿勢をとった際に、足裏全体を床面につける姿勢状態をスムーズに実現し、かつ、当該姿勢状態において装着者に与える違和感を低減させることができる。【００３３】
なお、弾性部材としては、長形状のゴム製の部材であってもよいし、コイルバネ等のバネ部材であってもよい。【００３４】
したがって、本発明の第２の関節運動アシスト装置の足部装着構造によれば、スムーズかつ安定した足部の動きを実現することができる。【００３５】
本発明の第２の関節運動アシスト装置の足部装着構造では、前記接続用部材は、弾性部材であり、前記弾性部材の他方の端部は、前記固定用部材の足甲側に固定される、ようにすることができる。この場合には、接続用部材を弾性部材のみとする簡易な構成とすることができる。【００３６】
また、本発明の第２の関節運動アシスト装置の足部装着構造では、前記接続用部材は、紐部材の他方の端部と弾性部材の一方の端部とを接続した部材であり、前記紐部材の一方の端部は、前記外側外骨格部材における足底側の端部に接続され、前記弾性部材の他方の端部は、前記固定用部材に固定される、ようにすることができる。この場合には、外側外骨格部材の足底側端部に接続される接続用部材が紐部材であるため、コイルバネ等の弾性部材が、関節運動アシスト装置の装着者のズボン等にからむことを少なくすることができる。【００３７】
このように、接続用部材を、紐部材と弾性部材とを繋げた部材にした場合には、前記固定用部材は、前記紐部材を通す穴が成形された中空状の部材であり、前記紐部材の他方の端部は、前記固定用部材の中空内部で前記弾性部材の一方の端部に接続され、前記弾性部材の他方の端部は、前記固定用部材の中空内部に固定される、ようにすることができる。この場合には、弾性部材が固定用部材の中空内部に収納されているため、コイルバネ等の弾性部材が関節運動アシスト装置の装着者のズボン等にからむことを防止することができる。【００３８】
本発明の第２の関節運動アシスト装置の足部装着構造では、前記外側外骨格部材は、前記人体の下腿に対応する第１外側外骨格部材と；一方の端部が前記人体の足関節に対応する位置で、前記第１外側外骨格部材に前記足関節の回動方向に回動可能に接続されるとともに、他方の端部が前記接続用部材に接続される第２外側外骨格部材と；を備える構成とすることができる。そして、前記内側外骨格部材は、前記人体の下腿に対応する第１内側外骨格部材と；一方の端部が前記足関節に対応する位置で、前記第１内側外骨格部材に前記足関節の回動方向に回動可能に接続されるとともに、他方の端部が前記足底部材に接続される第２内側外骨格部材と；を備える、構成とすることができる。【００３９】
この場合には、接続用部材及び固定用部材を備える第２の足部装着構造において、装着された人体の足関節の動きに対応したスムーズな動きを実現することができる。
【発明の効果】
【００４０】
以上説明したように、本発明の関節運動アシスト装置の足部装着構造によれば、スムーズかつ安定した足部の動きを実現することができるという効果を奏する。
【図面の簡単な説明】
【００４１】
【図１】従来の関節運動アシスト装置の足部装着構造を示す図である。
【図２】本発明の第１実施形態に係る関節運動アシスト装置の足部装着構造の外観図（ＹＺ平面視図）である。
【図３】図２の足部装着構造の外観図（ＸＺ平面視図）である（その１）。
【図４】図２の足部装着構造の外観図（ＸＺ平面視図）である（その２）。
【図５】図２〜図４の足部装着部の構成を説明するための図である。
【図６】閉脚姿勢時及び開脚姿勢時における図２の足部装着構造の状態を説明するための図である。
【図７】本発明の第２実施形態に係る関節運動アシスト装置の足部装着構造の外観図（ＹＺ平面視図）である。
【図８】図７の足部装着構造の外観図（ＸＺ平面視図）である。
【図９】閉脚姿勢時及び開脚姿勢時における図７の足部装着構造の状態を説明するための図である。
【図１０】本発明の第３実施形態に係る関節運動アシスト装置の足部装着構造の外観図（ＹＺ平面視図）である。
【図１１】図１０の足部装着構造の外観図（ＸＺ平面視図）である。
【図１２】閉脚姿勢時及び開脚姿勢時における図１０の足部装着構造の状態を説明するための図である。
【図１３】本発明の第４実施形態に係る関節運動アシスト装置の足部装着構造の外観図（ＹＺ平面視図）である。
【図１４】図１３の足部装着構造の外観図（ＸＺ平面視図）である。
【図１５】閉脚姿勢時及び開脚姿勢部における図１３の足部装着構造の状態を説明するための図である。
【符号の説明】
【００４２】
１００Ａ〜１００Ｄ…関節運動アシスト装置の足部装着構造、１１１…第１外側外骨格部材、１１２Ａ，１１２Ｃ…第２外側外骨格部材、１１６…第１内側外骨格部材、１１７…第２内側外骨格部材、１２０Ａ，１２０Ｃ，１２０Ｄ…足部装着部、１２１…平板部材（足底部材の一部）、１２２…内側軸支部材（足底部材の一部）、１２２ａ，１２２ｂ…軸挿入部、１２２ｃ…固定部、１２５…外側受容部材（受容部材）、１２６Ｃ，１２６Ｄ…外側固定用部材（固定用部材）、１２９…踵止め部材、１４０…板バネ部材（特定板バネ、誘導部材）、１５０…中空弾性部材（誘導部材）、１６０…ゴム部材（弾性部材、接続用部材）、１７１…紐部材（接続用部材の一部）、１７２…コイルバネ部材（弾性部材、接続用部材）、ＣＶ…凸部、ＣＣ…凹部、ＡＸ…軸部材、ＰＬ…プーリ、ＰＮ…ピン、１９１，１９２，１９６，１９７…連接部材、２１１，２１２，２１３，２１４…ベルト部材、３１１…外側大腿外骨格部材、３１６…内側大腿外骨格部材、３２１，３２２，３２６，３２７…連接部材、９００…足部装着構造、９１０…足底部材、９３１…第１外側下腿外骨格部材、９３２…第２外側下腿外骨格部材、９３６…第１内側下腿外骨格部材、９３７…第２内側下腿外骨格部材
【発明を実施するための形態】
【００４３】
以下、本発明の実施形態を、添付図面を参照して説明する。なお、以下の説明及び図面においては、同一又は同等の要素には同一の符号を付し、重複する説明を省略する。
【００４４】
［第１実施形態］
まず、本発明の第１実施形態を、図２〜図６を参照して説明する。ここで、第１実施形態においては、人体の左足部に装着される関節運動アシスト装置の足部装着構造を例示して説明する。
【００４５】
＜構成＞
図２〜図４には、第１実施形態に係る関節運動アシスト装置の足部装着構造１００Ａ（以下、単に「足部装着構造１００Ａ」とも記す）の外観図が示されている。図２〜図４における座標系（Ｘ，Ｙ，Ｚ）は、足部装着構造１００Ａが人体の左の足部に装着された場合に、直立姿勢時において、人体の正面方向を＋Ｘ方向、人体の右側から左側へと向かう方向を＋Ｙ方向、鉛直上方方向を＋Ｚ方向とする座標系である（後述する図５〜図１５についても同様）。
【００４６】
ここで、図２は、関節運動アシスト装置の装着者が、足裏全体を水平の床面につけて、足幅を狭くした閉脚姿勢をとったときに、人体の左足部に装着された足部装着構造１００Ａを、−Ｘ方向側（踵側）から眺めた外観図（ＹＺ平面視図）である。また、図３は、人体の左足部に装着された足部装着構造１００Ａを、閉脚姿勢時において、＋Ｙ方向側（外甲側）から眺めた外観図（ＸＺ平面視図）である。また、図４は、人体の左足部に装着された足部装着構造１００Ａを、閉脚姿勢時において、−Ｙ方向側（内甲側）から眺めた外観図（ＸＺ平面視図）である。
【００４７】
この足部装着構造１００Ａは、人体の大腿部の外側に装着される長板状の外側大腿外骨格部材３１１における膝関節側の端部、及び、当該大腿部の内側に装着される長板状の内側大腿外骨格部材３１６における膝関節側の端部に接続されている。
【００４８】
図２〜図４により総合的に示されるように、足部装着構造１００Ａは、第１外側外骨格部材１１１と、第２外側外骨格部材１１２Ａと、第１内側外骨格部材１１６と、第２内側外骨格部材１１７とを備えている。また、足部装着構造１００Ａは、足部装着部１２０Ａと、誘導部材における特定板バネとしての板バネ部材１４０とを備えている。
【００４９】
上記の第１外側外骨格部材１１１は、例えば、鋼鉄製の部材であり、長板状外骨格部材と、当該長板状外骨格部材における長手方向の両方の端部に固定的に接続された外歯歯車とから構成されている。この第１外側外骨格部材１１１は、左下腿部が膝関節から足関節（いわゆる足首関節、踝関節）へ延びる方向に沿って、左下腿部の外側（＋Ｙ方向側）に配置される。
【００５０】
第１外側外骨格部材１１１における膝関節側の端部の外歯歯車は、膝関節に対応する位置で、外側大腿外骨格部材３１１における膝関節側の端部の外歯歯車と噛合し、当該噛合が２つの連接部材３２１，３２２により確保されている。そして、第１外側外骨格部材１１１及び外側大腿外骨格部材３１１は、膝関節に対応する位置において、互いに膝関節の回動方向に回動可能となっている。
【００５１】
上記の第２外側外骨格部材１１２Ａは、例えば、鋼鉄製の部材であり、長板状の板状外骨格部材と、当該板状外骨格部材の一方の端部に固定的に接続された外歯歯車と、他方の端部に固定的に接続された球状の凸部ＣＶとから構成されている。そして、第２外側外骨格部材１１２Ａにおける一方の端部の外歯歯車は、足関節に対応する位置で、第１外側外骨格部材１１１における足関節側の端部の外歯歯車と噛合し、足関節の回動方向に回動可能となるように、当該噛合が２つの連接部材１９１，１９２により確保されている。また、第２外側外骨格部材１１２Ａにおける他方の端部の凸部ＣＶは、後述する外側受容部材１２５に成形された凹部ＣＣにより受容可能となっている。
【００５２】
上記の第１内側外骨格部材１１６は、例えば、鋼鉄製の部材であり、上述した第１外側外骨格部材１１１と同様に、長板状外骨格部材と、当該長板状外骨格部材における長手方向の両方の端部に固定的に接続された外歯歯車とから構成されている。この第１内側外骨格部材１１６は、左下腿部が膝関節から足関節へ延びる方向に沿って、左下腿部の内側（−Ｙ方向側）に配置される。
【００５３】
第１内側外骨格部材１１６における膝関節側の端部の外歯歯車は、膝関節に対応する位置で、内側大腿外骨格部材３１６における膝関節側の端部の外歯歯車と噛合し、膝関節の回動方向に回動可能となるように、当該噛合が２つの連接部材３２６，３２７により確保されている。そして、第１内側外骨格部材１１６及び内側大腿外骨格部材３１６は、膝関節に対応する位置において、互いに膝関節の回動方向に回動可能となっている。
【００５４】
上記の第２内側外骨格部材１１７は、例えば、鋼鉄製の部材であり、長板状の板状外骨格部材と、当該板状外骨格部材の一方の端部に固定的に接続された外歯歯車とから構成されている。そして、第２内側外骨格部材１１７における一方の端部の外歯歯車は、足関節に対応する位置で、第１内側外骨格部材１１６における足関節側の端部の外歯歯車と噛合し、足関節の回動方向に回動可能となるように、当該噛合が２つの連接部材１９６，１９７により確保されている。また、第２内側外骨格部材１１７における他方の端部には、Ｘ軸と平行な軸を軸方向とする軸部材ＡＸを挿入する軸穴が成形加工されている。そして、第２内側外骨格部材１１７における他方の端部は、軸部材ＡＸの回動方向で、後述する内側軸支部材１２２に回動可能に取り付けられる。
【００５５】
第１実施形態では、下腿部の外側に配置される第１外側外骨格部材１１１及び下腿部の内側に配置される第１内側外骨格部材１１６は、布製のベルト部材２１１，２１２により下腿部に装着される。
【００５６】
＜足部装着部１２０Ａの構成＞
次に、上記の足部装着部１２０Ａの構成について説明する。足部装着部１２０Ａは、図２〜図４、及び図５（Ａ），（Ｂ）により総合的に示されるように、足底部材の一部としての平板部材１２１と、足底部材の一部としての内側軸支部材１２２と、受容部材としての外側受容部材１２５と、踵止め部材１２９とを備えている。ここで、図５（Ａ）は、足部装着部１２０Ａを＋Ｙ方向側から視た図であり、図５（Ｂ）は、足部装着部１２０Ａを＋Ｚ方向側から視た図である。
【００５７】
上記の平板部材１２１は、例えば、鋼鉄製の部材であり、第１実施形態では、ＸＹ平面視で四隅の角を丸めた略長方形状の平板に成形されている。この平板部材１２１には、足部の足裏が配置され、布製のベルト部材２１３，２１４（図３，４参照、図２及び図５（Ａ），（Ｂ）においては不図示）により、当該足部が装着される。
【００５８】
上記の内側軸支部材１２２は、例えば、鋼鉄製の部材であり、ＸＺ平面視でＵ字状に成形される（図４参照）。内側軸支部材１２２は、軸挿入部１２２ａ，１２２ｂと、固定部１２２ｃとを有している（図５参照）。そして、＋Ｘ方向側の軸挿入部１２２ａ、及び、−Ｘ方向側の軸挿入部１２２ｂには、Ｘ軸と平行な軸を軸方向とする軸部材ＡＸを挿入する軸穴ＨＬａ及びＨＬｂが成形加工されている。また、固定部１２２ｃは、平板部材１２１における内甲側（−Ｙ方向側）端部の略中央の踵側に、不図示のネジ止め等で取り付けられる。
【００５９】
第１実施形態では、軸挿入部１２２ａと軸挿入部１２２ｂとの間に、第２内側外骨格部材１１７における他方の端部が挿入され、軸挿入部１２２ａの軸穴ＨＬａ、軸部材１２２ｂの軸穴ＨＬｂ、及び、第２内側外骨格部材１１７における他方の端部の軸穴に、軸部材ＡＸが挿入されるようになっている。このため、第２内側外骨格部材１１７における他方の端部は、内側軸支部材１２２に対して、軸部材ＡＸの回動方向で回動可能になっている。
【００６０】
上記の外側受容部材１２５は、例えば、鋼鉄製の部材であり、平板部材１２１における外甲側（＋Ｙ方向側）端部の略中央の踵側に、不図示のネジ止め等で取り付けられる。外側受容部材１２５には、閉脚姿勢時において、＋Ｚ方向側に略半球状の凹部ＣＣが形成加工されている。この凹部ＣＣの径は、第２外側外骨格部材１１２Ａにおける他方の端部の凸部ＣＶの径よりも大きくなっている（図２，３参照）。このため、第２外側外骨格部材１１２Ａの凸部ＣＶが外側受容部材１２５から外れている開脚状態から、閉脚状態へと移行するときには、当該凸部ＣＶが外側受容部材１２５の凹部ＣＣに受容されやすくなっている。また、ＹＺ平面視で、第２内側外骨格部材１１７の長さ方向と平板部材１２１の法線方向とのなす角が、所定の角度以上になるまで、第２外側外骨格部材１１２Ａの凸部ＣＶは、凹部ＣＣに受容されるようになっている。
【００６１】
上記の踵止め部材１２９は、例えば、鋼鉄製の部材であり、平板部材１２１における−Ｘ方向側の端部に固定される。この踵止め部材１２９により、平板部材１２１に配置される足部の踵部を支持するようになっている。
【００６２】
次いで、上記の板バネ部材１４０について説明する。板バネ部材１４０は、図２，３、及び図５（Ａ），（Ｂ）により総合的に示されるように、閉脚姿勢において、ＸＺ平面視で長手方向を＋Ｚ方向とする長方形状となっている。この板バネ部材１４０は、平板部材１２１における外甲側（＋Ｙ方向側）端部であって、外側受容部材１２５の内甲側（−Ｙ方向側）に設置される。そして、板バネ部材１４０は、Ｙ軸方向に沿った方向（＋Ｘ方向を視線方向としたＹＺ平面視で時計回り又は反時計回り）に、変形するようになっている（後述する図６参照）。
【００６３】
以上、人体の左足部に装着される足部装着構造１００Ａについて説明したが、当該人体の右足部に装着される足部装着構造についても、左足部に装着される足部装着構造と同様に構成されている。
【００６４】
＜動作＞
以上のようにして構成された関節運動アシスト装置の足部装着構造１００Ａの動作について、説明する。
【００６５】
なお、足部装着構造１００Ａは、人体の足部に装着されており、当初においては、図６（Ａ）に示されるように、関節運動アシスト装置の装着者は、両脚の間隔を狭くした閉脚姿勢をとっているものとする。当該閉脚姿勢時においては、ＹＺ平面視で、第２内側外骨格部材１１７の長さ方向と平板部材１２１の法線方向とのなす角が略平行であるとともに、第２外側外骨格部材１１２Ａの長さ方向と平板部材１２１の法線方向とのなす角も略平行になっている。そして、こうした状態では、第２外側外骨格部材１１２Ａの凸部ＣＶは、外側受容部材１２５の凹部ＣＣに受容されており、平板部材１２１の底面全体が床面に接しているものとする。
【００６６】
こうした閉脚姿勢から、足幅を広げて膝下部を鉛直上方に対して傾けた開脚姿勢に移行すると、ＹＺ平面視で、第２内側外骨格部材１１７の長さ方向と平板部材１２１の法線方向とのなす角が変化して広がるとともに、第２外側外骨格部材１１２Ａの長さ方向と平板部材１２１の法線方向とのなす角も広がる。そして、当該なす角が所定の角度以上になると、第２外側外骨格部材１１２Ａの凸部ＣＶが、外側受容部材１２５に成形された凹部ＣＣから外れて、図６（Ｂ）に示されるように、足裏が装着される平板部材１２１の底面全体を床面につけた状態を保つことができる。そして、第２外側外骨格部材１１２Ａの凸部ＣＶと外側受容部材１２５に成形された凹部ＣＣとの間の距離が長くなるにつれて、板バネ部材１４０が、第２外側外骨格部材１１２Ａの凸部ＣＶに接しながら弾性的に湾曲する。
【００６７】
また、図６（Ｂ）に示される開脚姿勢から図６（Ａ）に示される閉脚姿勢に移るときには、ＹＺ平面視で、第２内側外骨格部材１１７の長さ方向と平板部材１２１の法線方向とのなす角が略平行になるように変化するとともに、第２外側外骨格部材１１２Ａの長さ方向と平板部材１２１の法線方向とのなす角も略平行になるように変化する。そして、第２外側外骨格部材１１２Ａの凸部ＣＶと外側受容部材１２５の凹部ＣＣとの間の距離が短くなるにつれて、板バネ部材１４０が、第２外側外骨格部材１１２Ａの凸部ＣＶと接しながら弾性的に復元し、当該第２外側外骨格部材１１２Ａの凸部ＣＶを外側受容部材１２５に成形された凹部ＣＣに誘導する。
【００６８】
以上説明したように、第１実施形態では、内甲側に装着される第２内側外骨格部材１１７の端部は、平板部材１２１に対して、足関節の運動自由度を有するように配置され、外甲側に装着される第２外側外骨格部材１１２Ａの端部には、外側受容部材１２５に成形された凹部ＣＣに受容可能な凸部ＣＶが形成されている。そして、両足の間隔を狭くした閉脚姿勢では、第２外側外骨格部材１１２Ａの凸部ＣＶは、外側受容部材１２５の凹部ＣＣに受容されており、平面部材１２１の底面全体が床面に接している。
【００６９】
当該閉脚姿勢から、両足の間隔を広くして膝下部を鉛直上方に対して傾けた開脚姿勢に移行すると、外甲側の第２外側外骨格部材１１２Ａの凸部ＣＶが、外側受容部材１２５に成形された凹部ＣＣから外れて、平板部材１２１の底面全体を床面につけた状態を保つことが可能となる。また、当該閉脚姿勢から開脚姿勢に移行するに際して、第２外側外骨格部材１１２Ａの凸部ＣＶは、板バネ部材１４０に接する状態を維持している。引き続き、当該開脚姿勢から閉脚姿勢に移るときには、板バネ部材１４０が、第２外側外骨格部材１１２Ａの凸部ＣＶと接しながら弾性的に復元し、当該凸部ＣＶを外側受容部材１２５に成形された凹部ＣＣに誘導する。
【００７０】
したがって、第１実施形態によれば、関節運動アシスト装置を装着した場合において、スムーズかつ安定した足部の動きを実現することができる。
【００７１】
［第２実施形態］
次に、本発明の第２実施形態を、図７〜図９を主に参照して説明する。ここで、第２実施形態においても、人体の左足部に装着される関節運動アシスト装置の足部装着構造を例示して説明する。
【００７２】
＜構成＞
図７，８には、第２実施形態に係る関節運動アシスト装置の足部装着構造１００Ｂ（以下、単に「足部装着構造１００Ｂ」とも記す）の外観図が示されている。ここで、図７は、閉脚姿勢時において、人体の左足部に装着された足部装着構造１００Ｂを、−Ｘ方向側（踵側）から眺めた外観図（ＹＺ平面視図）である。また、図８は、人体の左足部に装着された足部装着構造１００Ｂを、閉脚姿勢時において、＋Ｙ方向側（外甲側）から眺めた外観図（ＸＺ平面視図）である。
【００７３】
図７，８により総合的に示されるように、足部装着構造１００Ｂは、上述した第１実施形態の足部装着構造１００Ａ（図２〜図４参照）と比べて、板バネ部材１４０に代えて誘導部材としての中空弾性部材１５０を備えている点が異なっている。以下、この相違点に主に着目して説明する。
【００７４】
上記の中空弾性部材１５０は、第２実施形態では、閉脚姿勢において、＋Ｚ方向に沿って延びる筒状のゴム製の部材である。この中空弾性部材１５０は、平板部材１２１における外甲側（＋Ｙ方向側）端部であって、外側受容部材１２５を囲むようにして設置される。そして、中空弾性部材１５０の中空内部に、第２外側外骨格部材１１２Ａの凸部ＣＶが挿入されるようになっている。
【００７５】
以上、人体の左足部に装着される足部装着構造１００Ｂについて説明したが、当該人体の右足部に装着される足部装着構造についても、左足部に装着される足部装着構造と同様に構成されている。
【００７６】
＜動作＞
以上のようにして構成された関節運動アシスト装置の足部装着構造１００Ｂの動作について、説明する。
【００７７】
なお、足部装着構造１００Ｂは、人体の足部に装着されており、当初においては、図９（Ａ）に示されるように、関節運動アシスト装置の装着者は、閉脚姿勢をとっているものとする。当該閉脚姿勢時においては、ＹＺ平面視で、第２内側外骨格部材１１７の長さ方向と平板部材１２１の法線方向とのなす角が略平行であるとともに、第２外側外骨格部材１１２Ａの長さ方向と平板部材１２１の法線方向とのなす角も略平行になっている。そして、こうした状態では、第２外側外骨格部材１１２Ａの凸部ＣＶは、外側受容部材１２５の凹部ＣＣに受容されており、平板部材１２１の底面全体が床面に接しているものとする。
【００７８】
こうした閉脚姿勢から、足幅を広げて膝下部を鉛直上方に対して傾けた開脚姿勢に移行すると、ＹＺ平面視で、第２内側外骨格部材１１７の長さ方向と平板部材１２１の法線方向とのなす角が変化して広がるとともに、第２外側外骨格部材１１２Ａの長さ方向と平板部材１２１の法線方向とのなす角も広がる。そして、当該なす角が所定の角度以上になると、第２外側外骨格部材１１２Ａにおける足底側端部の凸部ＣＶが、外側受容部材１２５に成形された凹部ＣＣから外れて、図９（Ｂ）に示されるように、足裏が装着される平板部材１２１の底面全体を床面につけた状態を保つことができる。そして、第２外側外骨格部材１１２Ａの凸部ＣＶと外側受容部材１２５に成形された凹部ＣＣとの間の距離が長くなるにつれて、第２外側外骨格部材１１２Ａの凸部ＣＶと内部で接している中空弾性部材１５０が、弾性的に湾曲する。
【００７９】
また、図９（Ｂ）に示される開脚状態から図９（Ａ）に示される閉脚姿勢に移るときには、ＹＺ平面視で、第２内側外骨格部材１１７の長さ方向と平板部材１２１の法線方向とのなす角が略平行になるように変化するとともに、第２外側外骨格部材１１２Ａの長さ方向と平板部材１２１の法線方向とのなす角も略平行になるように変化する。そして、第２外側外骨格部材１１２Ａの凸部ＣＶと外側受容部材１２５の凹部ＣＣとの間の距離が短くなるにつれて、第２外側外骨格部材１１２Ａの凸部ＣＶと内部で接している中空弾性部材１５０が弾性的に復元し、当該第２外側外骨格部材１１２Ａの凸部ＣＶを外側受容部材１２５に成形された凹部ＣＣに誘導する。
【００８０】
以上説明したように、第２実施形態では、内甲側に装着される第２内側外骨格部材１１７の端部は、平板部材１２１に対して、足関節の運動自由度を有するように配置され、外甲側に装着される第２外側外骨格部材１１２Ａの端部には、外側受容部材１２５に成形された凹部ＣＣに受容可能な凸部ＣＶが形成されている。そして、両足の間隔を狭くした閉脚姿勢では、第２外側外骨格部材１１２Ａの凸部ＣＶは、外側受容部材１２５の凹部ＣＣに受容されている。
【００８１】
当該閉脚姿勢から、両足の間隔を広くして膝下部を鉛直上方に対して傾けた開脚姿勢に移行すると、外甲側の第２外側外骨格部材１１２Ａの凸部ＣＶが、外側受容部材１２５に成形された凹部ＣＣから外れて、平板部材１２１の底面全体を床面につけた状態を保つことが可能となる。また、当該閉脚姿勢から開脚姿勢に移行するに際して、第２外側外骨格部材１１２Ａの凸部ＣＶは、中空弾性部材１５０の内部に接する状態を維持している。引き続き、当該開脚姿勢から閉脚姿勢に移るときには、第２外側外骨格部材１１２Ａの凸部ＣＶと内部で接している中空弾性部材１５０が弾性的に復元し、当該凸部ＣＶを外側受容部材１２５に成形された凹部ＣＣに誘導する。
【００８２】
したがって、第２実施形態によれば、上述した第１実施形態と同様に、関節運動アシスト装置を装着した場合において、スムーズかつ安定した足部の動きを実現することができる。
【００８３】
［第３実施形態］
次に、本発明の第３実施形態を、図１０〜図１２を主に参照して説明する。ここで、第３実施形態においても、人体の左足部に装着される関節運動アシスト装置の足部装着構造を例示して説明する。
【００８４】
＜構成＞
図１０，１１には、第３実施形態に係る関節運動アシスト装置の足部装着構造１００Ｃ（以下、単に「足部装着構造１００Ｃ」とも記す）の外観図が示されている。ここで、図１０は、閉脚姿勢時において、左足部に装着された足部装着構造１００Ｃを、−Ｘ方向側（踵側）から眺めた外観図（ＹＺ平面視図）である。また、図１１は、左足部に装着された足部装着構造１００Ｃを、閉脚姿勢時において、＋Ｙ方向側（外甲側）から眺めた外観図（ＸＺ平面視図）である。
【００８５】
図１０，１１により総合的に示されるように、足部装着構造１００Ｃは、上述した第１実施形態の足部装着構造１００Ａ（図２〜図４参照）と比べて、第２外側外骨格部材１１２Ａに代えて第２外側外骨格部材１１２Ｃを備える点、足部装着部１２０Ａに代えて足部装着部１２０Ｃを備える点、接続用部材（弾性部材）としてのゴム部材１６０を更に備える点、及び、板バネ部材１４０を備えていない点が異なっている。以下、これらの相違点に主に着目して説明する。
【００８６】
上記の第２外側外骨格部材１１２Ｃは、例えば、鋼鉄製の部材であり、長板状の板状外骨格部材と、当該板状外骨格部材の一方の端部に固定的に接続された外歯歯車とから構成されている。そして、第２外側外骨格部材１１２Ｃにおける一方の端部の外歯歯車は、足関節に対応する位置で、第１外側外骨格部材１１１における足関節側の端部の外歯歯車と噛合し、足関節の回動方向に回動可能となるように、当該噛合が２つの連接部材１９１，１９２により確保されている。また、第２外側外骨格部材１１２Ｃにおける他方の端部は、ゴム部材１６０における一方の端部と固定的に接続されている。
【００８７】
なお、第２外側外骨格部材１１２Ｃの長さは、上述した第２外側外骨格部材１１２Ａの長さよりも短くなっている。そして、第３実施形態では、第２外側外骨格部材１１２Ｃの長さと収縮時におけるゴム部材１６０の長さとを足し合わせた長さが、第２外側外骨格部材１１２Ａの長さと略一致するようになっている。
【００８８】
上記の足部装着部１２０Ｃは、上述した第１実施形態の足部装着部１２０Ａと比べて、外側受容部材１２５に代えて固定用部材としての外側固定用部材１２６Ｃを備える点が異なっている。上記の外側固定用部材１２６Ｃは、例えば、鋼鉄製の立方形状の部材であり、平板部材１２１における外甲側（＋Ｙ方向側）端部の略中央の踵側に、不図示のネジ止め等で取り付けられる。そして、外側固定用部材１２６Ｃにおける＋Ｚ方向側の面に、ゴム部材１６０における他方の端部が固定的に接続される。
【００８９】
上記のゴム部材１６０は、第３実施形態では、閉脚姿勢において、＋Ｚ方向に沿って延びる棒状又は板状のゴム製の部材である。このゴム部材１６０は、一方の端部が第２外側外骨格部材１１２Ｃにおける他方の端部と接続され、他方の端部が外側固定用部材１２６Ｃにおける＋Ｚ方向側の面と接続されている。
【００９０】
以上、人体の左足部に装着される足部装着構造１００Ｃについて説明したが、当該人体の右足部に装着される足部装着構造についても、左足部に装着される足部装着構造と同様に構成されている。
【００９１】
＜動作＞
以上のようにして構成された関節運動アシスト装置の足部装着構造１００Ｃの動作について、説明する。
【００９２】
なお、当初においては、図１２（Ａ）に示されるように、関節運動アシスト装置の装着者は、閉脚姿勢をとっているものとする。当該閉脚姿勢時においては、ＹＺ平面視で、第２内側外骨格部材１１７の長さ方向と平板部材１２１の法線方向とのなす角が略平行であるとともに、第２外側外骨格部材１１２Ｃの長さ方向と平板部材１２１の法線方向とのなす角も略平行になっている。そして、こうした状態では、ゴム部材１６０は、収縮しており、平板部材１２１の底面全体が床面に接しているものとする。
【００９３】
こうした閉脚姿勢から、足幅を広げて膝下部を鉛直上方に対して傾けた開脚姿勢に移行すると、ＹＺ平面視で、第２内側外骨格部材１１７の長さ方向と平板部材１２１の法線方向とのなす角が変化して広がるとともに、第２外側外骨格部材１１２Ｃの長さ方向と平板部材１２１の法線方向とのなす角も広がる。そして、第２外側外骨格部材１１２Ｃにおける他方の端部と外側固定用部材１２６Ｃとの間の距離が長くなるにつれて、ゴム部材１６０が弾性的に伸長して、図１２（Ｂ）に示されるように、平板部材１２１の底面全体を床面につけた状態を保つことができる。
【００９４】
また、図１２（Ｂ）に示される開脚姿勢から図１２（Ａ）に示される閉脚姿勢に移るときには、ＹＺ平面視で、第２内側外骨格部材１１７の長さ方向と平板部材１２１の法線方向とのなす角が略平行になるように変化するとともに、第２外側外骨格部材１１２Ｃの長さ方向と平板部材１２１の法線方向とのなす角も略平行になるように変化する。そして、第２外側外骨格部材１１２Ｃにおける他方の端部と外側固定用部材１２６Ｃとの間の距離が短くなるにつれて、ゴム部材１６０が弾性的に収縮する。
【００９５】
以上説明したように、第３実施形態では、内甲側に装着される第２内側外骨格部材１１７の端部は、平板部材１２１に対して、足関節の運動自由度を有するように配置され、外甲側に装着される第２外側外骨格部材１１２Ｃの端部には、外側固定用部材１２６Ｃに固定されているゴム部材１６０と接続されている。そして、両足の間隔を狭くした閉脚姿勢では、ゴム部材１６０は、収縮状態となっている。
【００９６】
当該閉脚姿勢から、両足の間隔を広くして膝下部を鉛直上方に対して傾けた開脚姿勢に移行すると、第２外側外骨格部材１１２Ｃ及び外側固定用部材１２６Ｃに接続されているゴム部材１６０が弾性的に伸長するため、平板部材１２１の底面全体を床面に接する状態を維持することができる。また、当該開脚姿勢から閉脚姿勢に移るときには、ゴム部材１６０が弾性的に収縮する。
【００９７】
したがって、第３実施形態によれば、上述した第１及び第２実施形態と同様に、関節運動アシスト装置を装着した場合において、スムーズかつ安定した足部の動きを実現することができる。
【００９８】
［第４実施形態］
次いで、本発明の第４実施形態を、図１３〜図１５を主に参照して説明する。ここで、第４実施形態においても、人体の左足部に装着される関節運動アシスト装置の足部装着構造を例示して説明する。
【００９９】
＜構成＞
図１３，１４には、第４実施形態に係る関節運動アシスト装置の足部装着構造１００Ｄ（以下、単に「足部装着構造１００Ｄ」とも記す）の外観図が示されている。ここで、図１３は、閉脚姿勢時において、足部装着構造１００Ｄを、−Ｘ方向側（踵側）から眺めた外観図（ＹＺ平面視図）である。また、図１４は、足部装着構造１００Ｄを、閉脚姿勢時において、＋Ｙ方向側（外甲側）から眺めた外観図（ＸＺ平面視図）である。
【０１００】
図１３，１４により総合的に示されるように、足部装着構造１００Ｄは、上述した第３実施形態の足部装着構造１００Ｃ（図１０，１１参照）と比べて、足部装着部１２０Ｃに代えて足部装着部１２０Ｄを備える点、接続用部材の一部としての紐部材１７１及び接続用部材の一部（弾性部材）としてのコイルバネ部材１７２を更に備える点、及び、ゴム部材１６０を備えていない点が異なっている。以下、これらの相違点に主に着目して説明する。
【０１０１】
上記の足部装着部１２０Ｄは、上述した第３実施形態の足部装着部１２０Ｃと比べて、外側固定用部材１２６Ｃに代えて外側固定用部材１２６Ｄを備える点が異なっている。上記の外側固定用部材１２６Ｄは、例えば、鋼鉄製の立方形状の部材であり、内部が中空状になっている。外側固定用部材１２６Ｄは、平板部材１２１における外甲側（＋Ｙ方向側）端部の踵側に、不図示のネジ止め等で取り付けられる。そして、外側固定用部材１２６Ｄにおける＋Ｚ方向側の面には、紐部材１７１を通す穴が成形されている。また、外側固定用部材１２６Ｄの中空内部には、プーリＰＬ及びピンＰＮが取り付けられている。
【０１０２】
ここで、第４実施形態では、プーリＰＬは、Ｙ軸と平行な軸を軸方向とする円盤状の部材であり、紐部材１７１を通す外側固定用部材１２６Ｄの穴の−Ｚ方向側に配置されるようになっている。また、ピンＰＮは、中空内部の−Ｘ方向側端部に配置されるようになっている（図１４参照）。
【０１０３】
上記の紐部材１７１における一方の端部は、第２外側外骨格部材１１２Ｃにおける他方の端部と接続されている。そして、紐部材１７１は、外側固定用部材１２６Ｄの中空内部でプーリＰＬに巻き回され、他方の端部が、コイルバネ部材１７２における一方の端部と接続されている。
【０１０４】
上記のコイルバネ部材１７２における他方の端部は、外側固定用部材１２６Ｄの中空内部でピンＰＮに固定されている。そして、第４実施形態では、コイルバネ部材１７２は、外側固定用部材１２６Ｄの中空内部で、Ｘ方向に伸縮するようになっている。このため、紐部材１７１とコイルバネ部材１７２とを繋げた接続用部材全体が伸縮した際に、紐部材１７１のみが、外側固定用部材１２６Ｄの外部に現れるようになっている。
【０１０５】
＜動作＞
以上のようにして構成された関節運動アシスト装置の足部装着構造１００Ｄの動作について、説明する。
【０１０６】
なお、当初においては、図１５（Ａ）に示されるように、関節運動アシスト装置の装着者は、閉脚姿勢をとっているものとする。当該閉脚姿勢時においては、ＹＺ平面視で、第２内側外骨格部材１１７の長さ方向と平板部材１２１の法線方向とのなす角が略平行であるとともに、第２外側外骨格部材１１２Ｃの長さ方向と平板部材１２１の法線方向とのなす角も略平行になっている。そして、こうした状態では、コイルバネ部材１７２は、収縮しており、平板部材１２１の底面全体が床面に接しているものとする。
【０１０７】
こうした閉脚姿勢から、足幅を広げて膝下部を鉛直上方に対して傾けた開脚姿勢に移行すると、ＹＺ平面視で、第２内側外骨格部材１１７の長さ方向と平板部材１２１の法線方向とのなす角が変化して広がるとともに、第２外側外骨格部材１１２Ｃの長さ方向と平板部材１２１の法線方向とのなす角も広がる。そして、第２外側外骨格部材１１２Ｃにおける他方の端部と外側固定用部材１２６Ｄとの間の距離が長くなるにつれて、コイルバネ部材１７２が弾性的に伸長して、図１５（Ｂ）に示されるように、平板部材１２１の底面全体を床面につけた状態を保つことができる。
【０１０８】
また、図１５（Ｂ）に示される開脚姿勢から図１５（Ａ）に示される閉脚姿勢に移るときには、ＹＺ平面視で、第２内側外骨格部材１１７の長さ方向と平板部材１２１の法線方向とのなす角が略平行になるように変化するとともに、第２外側外骨格部材１１２Ｃの長さ方向と平板部材１２１の法線方向とのなす角も略平行になるように変化する。そして、第２外側外骨格部材１１２Ｃにおける他方の端部と外側固定用部材１２６Ｄとの間の距離が短くなるにつれて、コイルバネ部材１７２が弾性的に収縮する。
【０１０９】
以上説明したように、第４実施形態では、内甲側に装着される第２内側外骨格部材１１７の端部は、平板部材１２１に対して、足関節の運動自由度を有するように配置され、外甲側に装着される第２外側外骨格部材１１２Ｃの端部には、紐部材１７１における一方の端部と接続されている。そして、当該紐部材１７１における他方の端部は、外側固定用部材１２６Ｃに固定されているコイルバネ部材１７２と接続されている。そして、両足の間隔を狭くした閉脚姿勢では、コイルバネ部材１７２は、収縮状態となっている。
【０１１０】
当該閉脚姿勢から、両足の間隔を広くして膝下部を鉛直上方に対して傾けた開脚姿勢に移行すると、コイルバネ部材１７２が弾性的に伸長するため、平板部材１２１の底面全体を床面に接する状態を維持することができる。また、当該開脚姿勢から閉脚姿勢に移るときには、コイルバネ部材１７２が弾性的に収縮する。
【０１１１】
したがって、第４実施形態によれば、上述した第１〜第３実施形態と同様に、関節運動アシスト装置を装着した場合において、スムーズかつ安定した足部の動きを実現することができる。
【０１１２】
また、第４実施形態では、第２外側外骨格部材１１２Ｃの端部に紐部材１７１の一方の端部が接続されるとともに、紐部材１７１の他方の端部に接続されるコイルバネ部材１７２が、外側固定用部材１２６Ｄの中空内部に収容される構成となっている。このため、コイルバネ部材１７２が、関節運動アシスト装置の装着者のズボン等にからむことを防ぐことができる。
【０１１３】
［実施形態の変形］
本発明は、上記の実施形態に限定されるものではなく、様々な変形が可能である。
【０１１４】
例えば、上記の第１実施形態では、誘導部材として板バネ部材を備えるようにし、上記の第２実施形態では、誘導部材として中空弾性部材を備えるようにした。これに対して、当該誘導部材としての板バネ部材又は中空弾性部材を構成要素から省略するようにしてもよい。
【０１１５】
また、上記の第１及び第２実施形態では、第２外側外骨格部材１１２Ａにおける他方の端部には球状の凸部が形成され、外側受容部材の＋Ｚ方向側には半球状の凹部が形成加工されることとした。これに対して、第２外側外骨格部材における他方の端部には例えば半球状の凹部を形成し、外側受容部材の＋Ｚ方向側には例えば球状の凸部を形成するようにしてもよい。
【０１１６】
また、上記の第１及び第２実施形態では、第２外側外骨格部材１１２Ａにおける他方の端部と外側受容部材とを嵌合させない構成にするとともに、第２外側外骨格部材１１２Ａの長さ方向と平板部材の法線方向とのなす角が所定の角度となったときに、第２外側外骨格部材１１２Ａにおける他方の端部が、外側受容部材から外れるようにした。これに対して、第２外側外骨格部材における他方の端部と外側受容部材とを嵌合可能とし、第２外側外骨格部材の長さ方向と平板部材の法線方向とのなす角が予め定められた角度以上になるまで、第２外側外骨格部材は、外側受容部材に嵌合されるようにしてもよい。
【０１１７】
なお、第２外側外骨格部材における他方の端部と外側受容部材とを嵌合可能にする構成を採用した場合に、第２外側外骨格部材における他方の端部に凸部を形成して、外側受容部材の＋Ｚ方向側に凹部を形成加工するようにしてもよいし、また、第２外側外骨格部材における他方の端部に凹部を形成して、外側受容部材の＋Ｚ方向側に凸部を形成加工するようにしてもよい。
【０１１８】
また、上記の第１及び第２実施形態では、外側受容部材の＋Ｚ方向側に凹部を形成加工するようにしたが、例えば、外側受容部材の＋Ｚ方向側の面を平板にする等、他の加工態様であってもよい。
【０１１９】
また、足幅を狭くした閉脚姿勢のときに、第２外側外骨格部材における足底側の端部が、床面に接する構成にするようにしてもよい。
【０１２０】
また、上記の第１及び第２実施形態では、閉脚姿勢時において、第２外側外骨格部材の端部に形成された凸部の高さ（Ｚ方向の位置）と、第２内側外骨格部材及び内側軸支部材１２２を接続する軸部材ＡＸの高さとが、ほぼ同じになるようにした（図２参照）。これに対して、第２外側外骨格部材の端部に形成された凸部の高さは、軸部材ＡＸの高さと異なるようにしてもよい。
【０１２１】
また、上記の第１実施形態では、誘導部材として１つの板バネ部材を備えるようにしたが、板バネ部材の数を２つとしてもよい。この場合には、１つの板バネ部材を、第１実施形態のように、外側受容部材に近接して当該外側受容部材の内甲側（−Ｙ方向側）に配置するとともに、他の１つの板バネ部材を、外側受容部材に近接して当該外側受容部材の外甲側（＋Ｙ方向側）に配置するようにすればよい。
【０１２２】
また、板バネ部材の数を３つ以上にするようにしてもよい。この場合には、１つの板バネ部材を、外側受容部材に近接して当該外側受容部材の内甲側（−Ｙ方向側）に配置するとともに、他の２つ以上の板バネ部材を、外側受容部材に近接して当該外側受容部材を囲むようにして配置するようにすればよい。
【０１２３】
また、上記の第１実施形態では、誘導部材としての板バネ部材が、外側受容部材の内甲側（−Ｙ方向側）に配設されるようにした。これに対して、足甲側に沿って延びる板状部材を、誘導部材として、外側受容部材の外甲側（＋Ｙ方向側）に配設するようにしてもよい。また、板状部材の数を２つ以上にするようにしてもよい。この場合には、１つの板状部材を、外側受容部材に近接して当該外側受容部材の外甲側（＋Ｙ方向側）に配設するとともに、他の板状部材を外側受容部材に近接して当該外側受容部材の＋Ｘ方向側や−Ｘ方向側に配設するようにすればよい。なお、当該板状部材は、板バネであってもよい。
【０１２４】
また、上記の第１実施形態では、外側受容部材に近接して当該外側受容部材の内甲側（−Ｙ方向側）に板バネ部材を配置するようにしたが、更に、外側受容部材に近接して当該外側受容部材の外甲側（＋Ｙ方向側）に、板状部材を配置するようにしてもよい。
【０１２５】
また、上記の第２実施形態では、中空弾性部材を筒状のゴム製の部材としたが、コイルバネ等であってもよい。
【０１２６】
また、上記の第３実施形態では、ゴム部材を介して、第２外側外骨格部材における他方の端部と外側固定用部材とを間接的に接続するようにしたが、例えば、コイルバネ等のバネ部材を介して、第２外側外骨格部材における他方の端部と外側固定用部材とを間接的に接続するようにしてもよい。
【０１２７】
また、上記の第４実施形態では、第２外側外骨格部材における他方の端部と外側固定用部材とを間接的に接続する接続用部材を、紐部材とコイルバネ部材とを繋げた部材としたが、例えば、紐部材とゴム部材とを繋げた部材を、接続用部材に採用するようにしてもよい。
【０１２８】
また、上記の第４実施形態では、コイルバネ部材は、外側固定用部材の中空内部に収納されるようにしたが、コイルバネ部材を外側固定用部材の中空内部に収納しないようにしてもよい。
【０１２９】
また、上記の第１〜第４実施形態では、ＸＺ平面視でＵ字状に成形された内側軸支部材における軸挿入部１２２ａと軸挿入部１２２ｂとの間に、第２内側外骨格部材における他方の端部を挿入し、軸挿入部１２２ａの軸穴、軸部材１２２ｂの軸穴、及び、第２内側外骨格部材における他方の端部の軸穴に軸部材を挿入することで、第２内側外骨格部材は平板部材に接続されるようにした。これに対して、第２内側外骨格部材の平板部材への接続態様は、関節運動アシスト装置の装着者が、両足の間隔を広くして膝下部を鉛直上方に対して傾けた姿勢をとった際に、当該姿勢時の足関節の動きに対応することができるものであれば、他の態様であってもよい。
【０１３０】
また、上記の第１〜第４実施形態では、第１外側外骨格部材の足関節側端部を外歯歯車にするとともに、第２外側外骨格部材の足関節側端部を外歯歯車とすることで、互いの部材が足関節に対応する位置で、足関節の回動方向に回動可能に接続されるようにした。また、上記の第１〜第４実施形態では、第１内側外骨格部材の足関節側端部を外歯歯車にするとともに、第２内側外骨格部材の足関節側端部を外歯歯車とすることで、互いの部材が足関節に対応する位置で、足関節の回動方向に回動可能に接続されるようにした。これに対して、第１外側外骨格部材と第２外側外骨格部材とを一体とする部材にするとともに、第１内側外骨格部材と第２内側外骨格部材とを一体とする部材にするようにしてもよい。この場合には、内側外骨格部材における足底側の端部を、平板部材に対して足関節の屈伸運動の自由度を有するように、当該平板部材に設置するようにすればよい。
【０１３１】
本発明の関節運動アシスト装置の足部装着構造は、介護や福祉の分野で利用する場合には、介護者がパワーアシスト用の装置として装着するだけでなく、力が弱っている被介護者がパワーアシスト用又はリハビリテーション用の装置としても利用することができる。また、本発明の関節運動アシスト装置の足部装着構造は、介護や福祉の分野以外で重量物を持ち上げる等の場合のパワーアシスト装置としても利用することができる。
【０１３２】
また、上記の第１〜第４実施形態においては、人体の関節運動をアシストする関節運動アシスト装置の足部装着構造に本発明を適用したが、関節機構を有する人体以外の外骨格形の哺乳類、外骨格形のロボット等の関節運動アシスト装置の足部装着構造にも本発明を適用することができる。
【産業上の利用可能性】
【０１３３】
以上説明したように、本発明の関節運動アシスト装置の足部装着構造は、関節運動をアシストする外骨格型の関節運動アシスト装置の足部装着構造に適用することができる。
【図１】
0005935177.tif 000002
【図２】
0005935177.tif 000003
【図３】
0005935177.tif 000004
【図４】
0005935177.tif 000005
【図５】
0005935177.tif 000006
【図６】
0005935177.tif 000007
【図７】
0005935177.tif 000008
【図８】
0005935177.tif 000009
【図９】
0005935177.tif 000010
【図１０】
0005935177.tif 000011
【図１１】
0005935177.tif 000012
【図１２】
0005935177.tif 000013
【図１３】
0005935177.tif 000014
【図１４】
0005935177.tif 000015
【図１５】
0005935177.tif 000016